(57)【要約】      （修正有）【課題】電動車の利便性を向上させる。【解決手段】電動車２０を充電する際に外部電力供給機構３０が接続される出入力口２２の近傍に、報知手段である照明装置２８を設ける。電動車２０の故障が検出された場合、報知手段である照明装置２８が点灯する。このとき、照明装置２８の点灯態様は、当該故障の緊急度判定に基づいて変更される。照明装置２８は、電動車２０が故障していない場合には通常の照明装置として使用可能である。【選択図】図１
2014007861.tif 000002
【特許請求の範囲】
【請求項１】
車両の駆動用モータを駆動する駆動用電池を有する電動車であって、
前記電動車の故障を検出する故障検出手段と、
前記故障の種類に基づいて故障の緊急度を判定する緊急度判定手段と、
前記緊急度判定手段の緊急度判定に基づいて異なる態様で前記故障を報知する報知手段と、
を備えたことを特徴とする電動車。
【請求項２】
前記電動車は、外部電源から前記駆動用電池または前記駆動用電池から外部機器へ電力を出入力する出入力口を備え、
前記報知手段は、照明装置であり、
前記照明装置は、前記出入力口または前記出入力口近傍に設けられ、
前記報知手段は、前記緊急度判定に基づいて前記照明装置の点灯態様を変更することを特徴とする請求項１に記載の電動車。
【請求項３】
前記報知手段は、前記緊急度が大きいほど前記照明装置の単位時間当たりの点滅回数を多くすることを特徴とする請求項２に記載の電動車。
【請求項４】
前記報知手段は、給電時の故障と充電時の故障とを識別し、前記給電時の故障については、所定時間経過後に点滅から消灯し、前記充電時の故障については、前記所定時間経過後に点滅点灯から連続点灯に切り替えることを特徴とする請求項２または３に記載の電動車。
【発明の詳細な説明】
【技術分野】
【０００１】
本発明は、電動車に関する。
【背景技術】
【０００２】
従来から、車両の周辺状況などに応じて、運転者に緊急を報知するシステムが知られている。たとえば、下記特許文献１では、報知する情報の緊急度に応じて設定された時間周波数もしくは空間周波数に基づいて、表示手段における輝度を制御して、車両で得られた各種情報を報知する車両用表示装置が開示されている。
【先行技術文献】
【特許文献】
【０００３】
【特許文献１】特開２０１１−２４０７６８号公報
【発明の概要】
【発明が解決しようとする課題】
【０００４】
近年、動力の少なくとも一部に電力を用いて走行する電気自動車やハイブリット自動車などの電動車が普及している。電動車には、充電口（電力の出入力口）から外部電力を供給して充電をおこなうプラグインタイプの車両がある。また、電動車には、走行用に蓄電された電力を他の電気機器に供給し、電源として使用できるようにした給電機能を備えた車両もある。このように、電動車ではユーザが外部から外部電源供給機構（たとえば充電ガンなど）を充電口に抜き差しして充電または給電をおこなう機会がある。このときに、車両の故障をユーザに報知することができれば、電動車の利便性の向上につながる。
【０００５】
上述した特許文献１は、車両の走行中などに運転者の周辺の情報を報知するに留まり、特許文献１を適用しても、電動車の利便性を向上させることはできない。
【０００６】
本発明は、上述した従来技術の問題点に鑑みてなされたものであり、電動車の利便性を向上させることを目的とする。
【課題を解決するための手段】
【０００７】
上述した問題を解決し、目的を達成するため、請求項１の発明にかかる電動車は、車両の駆動用モータを駆動する駆動用電池を有する電動車であって、前記電動車の故障を検出する故障検出手段と、前記故障の種類に基づいて故障の緊急度を判定する緊急度判定手段と、前記緊急度判定手段の緊急度判定に基づいて異なる態様で前記故障を報知する報知手段と、を備えたことを特徴とする。
また、請求項２の発明にかかる電動車は、外部電源から前記駆動用電池または前記駆動用電池から外部機器へ電力を出入力する出入力口を備え、前記報知装置は、照明装置であり、前記照明装置は、前記出入力口または前記出入力口近傍に設けられ、前記報知手段は、前記緊急度判定に基づいて前記照明装置の点灯態様を変更することを特徴とする。
また、請求項３の発明にかかる電動車は、前記報知手段は、前記緊急度が大きいほど前記照明装置の単位時間当たりの点滅回数を多くすることを特徴とする。
また、請求項４の発明にかかる電動車は、前記報知手段は、給電時の故障と充電時の故障とを識別し、前記給電時の故障については、所定時間経過後に点滅から消灯し、前記充電時の故障については、前記所定時間経過後に点滅点灯から連続点灯に切り替えることを特徴とする。
【発明の効果】
【０００８】
請求項１の発明によれば、駆動用電池を有する電動車において、故障の緊急度判定に基づいて異なる態様で当該故障を報知する報知手段を設けたので、ユーザが当該故障に対して的確に対応できる可能性を向上させることができる。
請求項２の発明によれば、報知手段を照明装置とし、駆動用電池への電力の出入力口または出入力口近傍に照明装置を設けたので、電動車の充電中または給電中に故障を報知する必要がある場合に、ユーザに対して迅速に報知を伝達することができる。
請求項３の発明によれば、故障の緊急度が大きいほど照明装置の単位時間当たりの点滅回数を多くするので、故障の緊急度を直感的にユーザに伝達することができる。
請求項４の発明によれば、給電時の故障と充電時の故障とを識別し、給電時の故障については所定時間経過後に点滅から消灯させるので、駆動用電池内の電力消費を抑制し、故障からの復帰後の給電時に利用可能な電力を確保することができる。また、充電時の故障については、所定時間経過後に点滅点灯から連続点灯に切り替えるので、出入口周辺での作業をしやすくすることができる。
【図面の簡単な説明】
【０００９】
【図１】実施の形態にかかる電動車２０の外観を示す説明図である。
【図２】電動車２０の出入力口２２の拡大図である。
【図３】電動車２０の機能的構成を示すブロック図である。
【図４】故障の種類および緊急度の一例を例示した表である。
【図５】照明装置２８の点灯態様の変更方法の一例を例示する表である。
【図６】電動車２０による処理の手順を示すフローチャートである。
【発明を実施するための形態】
【００１０】
以下に添付図面を参照して、本発明にかかる電動車の好適な実施の形態を詳細に説明する。
【００１１】
（実施の形態）
図１は、実施の形態にかかる電動車２０の外観を示す説明図である。実施の形態にかかる電動車２０は、車両の駆動用モータを駆動する駆動用電池（バッテリー）を有し、動力の少なくとも一部に電力を用いて走行する。本実施の形態では、電動車２０は、駆動用電池内の電力によってモータを回転させて駆動する電気自動車であるものとする。電動車２０には、電動車２０を充電する際に外部電力供給機構３０が接続される出入力口２２が設けられている。
【００１２】
外部電力供給機構３０（充電器）は、電動車２０に電力を供給して電動車２０の駆動用電池を充電する。外部電力供給機構３０は、本体部３２、充電ケーブル３４、充電ガン３６を含んで構成される。本体部３２には、外部電力供給機構３０の動作を制御する制御部（充電コントローラ）や、外部電力供給機構３０の充電状態や充電設定、操作画面などが表示されるユーザインターフェースなどが設けられている。
【００１３】
本体部３２からは充電ケーブル３４が伸びており、充電ケーブル３４の先端には、充電ガン３６（コネクタ）が設けられている。充電ガン３６の先端には、車両側の結合部２６に接続される結合部３８が設けられている。結合部３８には、電動車２０に対して電力を供給する電力供給用インターフェースの他、電動車２０とデータの授受をおこなうデータ用インターフェースが設けられている。
【００１４】
電動車２０の出入力口２２は、蓋２４に覆われており、その中には結合部２６が設けられている。電動車２０の充電時には、充電ガン３６が出入力口２２に挿入され、外部電力供給機構３０側の結合部３８と電動車２０側の結合部２６が接触して電力の授受をおこなう。結合部２６には、外部電力供給機構３０からの受給を受ける電力受給用インターフェースの他、外部電力供給機構３０とデータの授受をおこなうデータ用インターフェースが設けられている。
【００１５】
また、電動車２０は、駆動用電池内に蓄電された走行用電力を他の電気機器に供給し、電源として使用できるようにした給電機能を備えている。本実施の形態では、電動車２０の給電機能を利用するとき（給電時）は、出入力口２２の結合部３８に給電用のアダプタ（図示なし）を接続して、アダプタを介して他の電気機器に供給する。すなわち、出入力口２２は、外部電源から駆動用電池または駆動用電池から外部機器へ電力を出入力するために設けられている。
【００１６】
図２は、電動車２０の出入力口２２の拡大図である。ここで、出入力口２２または出入力口２２の近傍には、電動車２０の故障を報知する報知手段２０６が設けられている。本実施の形態では、報知手段２０６の一例として、照明装置２８が設けられているものとする。出入力口２２の近傍とは、たとえば出入力口２２内部の結合部３８周辺や蓋２４の裏面、電動車２０のボディ上の出入力口２２周辺などである。本実施の形態では、照明装置２８は出入力口２２内部の結合部３８周辺に設けられている。
【００１７】
照明装置２８を充電および給電時に点灯させることにより、出入力口２２の周囲を明るくし、充給電作業をしやすくすることができる。すなわち、照明装置２８を設けることによって、充給電時の作業効率を向上させることができる。特に、電動車２０は、給油場所がガソリンスタンドなどに限定されるガソリン車やディーゼル車と異なり、外部電力供給機構３０があればいかなる場所でも充電可能である。外部電力供給機構３０が設置されている場所は、ガソリンスタンドなど照明設備が整った場所であるとは限らず、夜間や屋外など比較的作業性の悪い状態にある可能性もある。電動車２０に照明装置２８を設けることによって、どのような場所での充給電時にも一定の作業性を確保することができる。など、本実施の形態では、出入力口２２の開放操作（たとえば出入力口２２の開放レバーに対する開放操作）がおこなわれると、照明装置２８が通常の照明として点灯するものとする。
【００１８】
また、照明装置２８は、上述した報知手段２０６として、電動車が報知対象となる所定の故障状態となっている場合に点灯して、電動車２０の故障をユーザに報知する。このように、照明装置２８は、通常の照明としての機能とともに、電動車２０の故障を報知する報知手段２０６の機能を有する。報知手段２０６として照明装置２８が点灯する場合、通常の照明としての点灯とは異なる点灯態様で点灯するものとする。たとえば通常の照明としての点灯時には常時点灯するのに対し、報知手段２０６としての点灯時には所定時間ごとに点滅する、などである。報知手段２０６としての照明装置２８の動作は、図３に示す電動車２０の構成によって実現される。
【００１９】
図３は、電動車２０の機能的構成を示すブロック図である。図３には、電動車２０における故障報知機能に関する構成のみを図示している。電動車２０は、故障検出手段２０２、緊急度判定手段２０４、報知手段２０６（本実施の形態では照明装置２８）によって構成される。図３に示した電動車２０の構成のうち、故障検出手段２０２、緊急度判定手段２０４は、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などによって構成される電動車２０のＥＣＵによって実現される。また、報知手段２０６は、上記ＥＣＵによって照明装置２８を点灯制御することによって実現する。
【００２０】
故障検出手段２０２は、電動車２０の故障を検出する。故障検出手段２０２は、たとえば電動車２０のシフトギアの位置やサイドギアのオンオフ、駆動用電池の残存容量（電池電圧）、駆動用電池異常の有無、電動車２０に接続されたケーブル等の型番、車両周辺の外気温度、その他電動車２０の各所に設けられた各種センサの検出値、ＢＭＵ（Ｂａｔｔｅｒｙ  Ｍａｎａｇｅｍｅｎｔ  Ｕｎｉｔ）などの他の演算処理部からの情報、結合部２６（図１参照）のデータ用インターフェースを介して入力された情報などから、電動車２０の故障を検出する。
【００２１】
緊急度判定手段２０４は、故障検出手段２０２によって検出された故障の種類に基づいて、故障の緊急度を判定する。緊急度判定手段２０４は、たとえば図４に示すような故障内容および分類を示すデータを保持しており、電動車２０が故障した際に当該故障の緊急度を判定する。
【００２２】
図４は、故障の種類および緊急度の一例を例示した表である。図４の表３００は、故障の緊急度を小・中・大の３段階に分類し、それぞれの緊急度に該当する故障の内容を挙げたものである。なお、図４には、一般的に故障とされる状態の他、ユーザの操作ミスなどを報知するものも含まれている。
【００２３】
たとえば、緊急度が小（比較的緊急度が低い）の故障としては、充給電開始時にシフトギアの位置がＰ（パーキング）以外の位置にある、またはサイドギアがオフとなっている、充電ガン３６との接触異常、充給電ケーブルが正規品でない、外気温低下による充電推奨、などが挙げられる。これらの状態は、たとえばユーザ自身によって対応可能な車両トラブルや操作ミスなどの事象である。
【００２４】
各状態の詳細を説明すると、充給電開始時にシフトギアの位置がＰ（パーキング）以外の位置にある、またはサイドギアがオフとなっている、とは、電動車２０では、充給電時にはシフトギアの位置をＰ（パーキング）にし、さらにサイドギアをオンにしなければ充給電を開始できないようになっているため、このままでは充給電を開始できないことをユーザに報知するものである。なお、この状態を報知する際は、運転者が車内にいる段階で報知を受けることができる方が利便性が高いので、照明装置２８とともに、電動車２０のルームランプおよびマップランプを点滅させる。
【００２５】
充電ガン３６との接触異常とは、充電ガン３６の結合部３８と電動車２０側の結合部２６との接触が完全ではなく、充電ガン３６側から電力の受給を受けることができない状態を示す。充給電ケーブルが正規品でない、とは、電動車２０側の結合部２６に接続された充給電ケーブル（図１の例では充電ケーブル３４および充電ガン３６）が、電動車２０の製造者（製造メーカー）によって使用が推奨されている正規品ではない状態（たとえば延長コードの使用など）を示す。これは、外部電力供給機構３０からのパイロット信号などによって判断する。
【００２６】
外気温度低下による充電推奨とは、駆動用電池内の二次電池の充放電特性が電池温度によって変化することに着目したものである。二次電池の充放電特性は、低温環境で低下する。このことから、電動車２０周辺の外気温度が所定温度以下である（または所定温度以下になることが予測される）場合には、電動車２０が停車された直後に充電を推奨する報知をおこなって、電池温度が低下する前の充電を促す。
【００２７】
また、緊急度が中（緊急度が中程度）の故障としては、たとえば、交換可能なケーブルの異常や補機用駆動用電池の能力低下などが挙げられる。これらの状態は、たとえば電動車２０の販売会社や自動車修理店などに持ち込めば、修理可能な事象である。
【００２８】
また、緊急度が大（緊急度が高い）の故障としては、たとえば、駆動用電池等からの漏電、充給電時におけるセル電圧の異常、駆動用電池電圧の異常、駆動用電池温度の異常、各種センサの不検知、コンタクタの開放、電池セルの膨張などが挙げられる。これらの状態は、電動車２０が走行不能能となる可能性がある事象である。
【００２９】
各状態の詳細を説明すると、駆動用電池等からの漏電とは、駆動用電池と接続された電動車２０の電力系統のいずれかにおいて漏電が生じている状態を示す。充電給電時におけるセル電圧の異常とは、充電または給電開始後、駆動用電池（組電池）を構成する複数の電池セルのうち、電圧の上昇度合いまたは下降度合いが他の電池セルと異なる電池セルがある状態である。この場合、当該電池セルは短絡をおこしている可能性がある。
【００３０】
駆動用電池電圧の異常とは、駆動用電池電圧が充電可能範囲内にない場合（充電下限電圧以下、または充電上限電圧以上）になった状態を示す。たとえば、駆動用電池内の残存容量が低下した状態で放置すると、駆動用電池電圧が充電下限電圧を下回り、再充電が禁止される。また、駆動用電池内の残存容量が満充電状態に近い場合は、充電上限電圧を上回り、充電が禁止される。
【００３１】
また、駆動用電池内の各電池セル（または各セルモジュール）レベルで電圧を確認し、最高電圧と最低電圧の差分が閾値電圧以上の場合は、報知対象状態としてもよい。これは、電池セル間の電圧差が大きいと、電池セル内部での内部短絡や微小短絡などの異常が生じている可能性があるためである。なお、各電池セル間の劣化の個体差を考慮して、報知対象状態と判定する閾値電圧を、駆動用電池の使用期間（時間軸）に連動して変更してもよい。各電池セル間の劣化の個体差は、駆動用電池使用時における各電池セルの温度差や各電池セルの耐久性の個体差などに起因する。
【００３２】
駆動用電池温度の異常とは、駆動用電池温度が使用可能範囲内にない場合（使用下限温度以下、または使用上限温度以上）になった状態を示す。また、駆動用電池内の各電池セル（または各セルモジュール）レベルで温度を確認し、最高温度と最低温度の差分が閾値温度以上の場合は、報知対象状態としてもよい。これは、電池セル間の温度差が大きいと、特定の電池セルの異常な発熱やボルト部の締結のゆるみに起因する発熱が生じている可能性があるためである。なお、各電池セル間の劣化の個体差を考慮して、報知対象状態と判定する閾値温度を、駆動用電池の使用期間（時間軸）に連動して変更してもよい。
【００３３】
各種センサの不検知とは、各種センサ自体の不良またはセンサとＥＣＵ間の接続の不良によって、各種センサによる検出値が取得できない状態を示す。コンタクタの開放とは、車両衝突時などにおいて、駆動用電池からの漏電等を防止するようにコンタクタが開放されている状態を示す。
【００３４】
電池セルの膨張とは、駆動用電池（組電池）を構成する電池セルのうち、通常の状態と比較して所定量以上の体積膨張が生じた電池セルがある状態を示す。この場合、当該電池セルは劣化している可能性がある。
【００３５】
緊急度判定手段２０４は、故障検出手段２０２によって検出された故障の種類に基づいて、当該故障がいずれの緊急度に分類されているかを判定する。
【００３６】
なお、図４に示した故障の種類は、主に電動車２０の電力系統に関する状態を挙げている。報知手段２０６である照明装置２８は、出入力口２２または出入力口２２の近傍に設けられているため、ユーザが照明装置２８の点灯を確認するのは、主に充電時または給電時である。このため、照明装置２８によって報知する故障の種類を、電動車２０の電力系統に関する状態とすれば、照明装置２８で報知された状態に対してユーザがスムーズに対応することができる。
【００３７】
報知手段２０６は、緊急度判定手段２０４によって判定された故障の緊急度（緊急度判定）に基づいて、異なる態様で故障を報知する。本実施の形態では、報知手段２０６は照明装置２８なので、報知手段２０６は、故障の緊急度判定に基づいて照明装置２８の点灯態様を変更する。点灯態様とは、たとえば、照明装置２８の単位時間当たりの点滅回数、照明装置２８の点灯照度、照明装置２８の色などである。また、本実施の形態では、故障に該当しない場合であっても、充給電時の作業性の向上のために照明装置２８は点灯される。通常時（故障していない場合）の点灯態様は、故障している場合の点灯態様と明らかに区別できるようにする。
【００３８】
図５は、照明装置２８の点灯態様の変更方法の一例を例示する表である。図５の表４００には、照明装置２８の変更対象となる点灯態様と緊急度判定との関係、および通常時（故障していない場合）の点灯態様が示されている。図５の例では、変更対象となる点灯態様の例として点滅回数、点灯照度、色を挙げている。変更対象となる点灯態様は、これら（図５の例では点滅回数、点灯照度、色）のうち１つであってもよいし、複数を組み合わせてもよい。
【００３９】
たとえば、変更対象となる点灯態様が点滅回数の場合、緊急度が小の場合は１分間（単位時間）あたりの点灯回数を１２回（すなわち、５秒に１回点滅）とする。また、緊急度が中の場合は１分間あたりの点灯回数を２０回（すなわち、３秒に１回点滅）とする。また、緊急度が大の場合は１分間あたりの点灯回数を６０回（すなわち、１秒に１回点滅）とする。すなわち、報知手段２０６は、緊急度が大きいほど照明装置２８の単位時間当たりの点滅回数を多くする。一方、通常時には照明の点滅はおこなわないものとする。
【００４０】
また、たとえば、変更対象となる点灯態様が点灯照度の場合、通常時の照度を１００とすると、緊急度が小の場合は照度５０、緊急度が中の場合は照度１５０、緊急度が大の場合は照度２００に変更する。また、たとえば、変更対象となる点灯態様が色の場合、通常時は白色灯色で点灯し、緊急度が小の場合は青、緊急度が中の場合は黄、緊急度が大の場合は赤で点灯する。
【００４１】
また、電動車２０の車内照明（ルームランプやマップランプ）を報知手段２０６に含めて、電動車２０が故障している場合、照明装置２８とともに車内照明の点灯態様を変更するようにしてもよい。本実施の形態では、運転者（ユーザ）が車内にいる段階で報知を受けることができる方が利便性が高い状態、具体的には、充給電開始時にシフトギアの位置がＰ（パーキング）以外の位置にある、またはサイドギアがオフとなっている場合に、照明装置２８とともに車内照明を用いて報知をおこなうようにした。
【００４２】
図６は、電動車２０による処理の手順を示すフローチャートである。図６のフローチャートでは、変更対象となる点灯態様を点滅回数とした場合を例に挙げている。図６のフローチャートにおいて、電動車２０は、出入力口２２の開放を検知する（ステップＳ６０１：Ｎｏのループ）。出入力口２２の開放の検知は、たとえば、電動車２０内に設けられた出入力口２２の開放レバーへの操作を検知することによっておこなう。出入力口２２の開放を検知すると（ステップＳ６０１：Ｙｅｓ）、照明装置２８は通常時の点灯態様で点灯する（通常点灯、ステップＳ６０２）。
【００４３】
つぎに、電動車２０は、故障検出手段２０２によってシフトギアおよびサイドギアの位置情報を取得して、シフトギアの位置がＰ（パーキング）以外の位置にある、またはサイドギアがオフとなっているか否かを判定する（ステップＳ６０３）。シフトギアの位置がＰ（パーキング）以外の位置にある、またはサイドギアがオフとなっている場合（ステップＳ６０３：Ｙｅｓ）、報知手段２０６は、照明装置２８を点滅させるとともに、電動車２０のルームランプおよびマップランプを点滅させる（ステップＳ６０４）。これは、シフトギアまたはサイドギアの位置が充給電をおこなうことができない状態にあることを、運転者が車内にいる段階でも知ることができるようにしたものである。また、図４に示したように、充給電時にシフトギアの位置がＰ（パーキング）以外の位置にある、またはサイドギアがオフとなっている状態は、緊急度が小と分類されている状態なので、報知手段２０６は、緊急度が小の場合の点灯態様で照明装置２８を点滅させる。
【００４４】
一方、シフトギアの位置がＰかつサイドギアがオンとなっている場合（ステップＳ６０３：Ｎｏ）、故障検出手段２０２は、電動車２０の故障を検出したか否かを判断する（ステップＳ６０５）。ステップＳ６０５における故障とは、たとえば、駆動用電池等からの漏電、駆動用電池電圧の異常、駆動用電池温度の異常、コンタクタの開放、電池セルの膨張などがある状態などであり、すなわち充電および給電が制限される状態を指す。
【００４５】
電動車２０の故障を検出した場合（ステップＳ６０５：Ｙｅｓ）、ステップＳ６１２に移行し、緊急度判定手段２０４によって、電動車２０が該当する故障の緊急度を判定する。そして、故障の緊急度判定に対応する点灯態様で照明装置２８を点滅させて（ステップＳ６１３）、本フローチャートによる処理を終了する。
【００４６】
一方、電動車２０の故障が検出されない場合（ステップＳ６０５：Ｎｏ）、すなわち充給電可能な場合、電動車２０は、出入力口２２に充電ケーブルまたは給電ケーブル（以下、「充給電ケーブル」という）が接続されるまで待機する（ステップＳ６０６：Ｎｏのループ）。なお、出入力口２２が開放されてから所定時間経過しても充給電ケーブルが接続されない場合は、出入力口２２を自動的に閉めるようにしてもよい。
【００４７】
出入力口２２に充給電ケーブルが接続されると（ステップＳ６０６：Ｙｅｓ）、故障検出手段２０２は、外部電力供給機構３０からのパイロット信号を取得して、接続された充給電ケーブルが正規品でないものか否かを判断する（ステップＳ６０７）。充給電ケーブルが正規品でない場合（ステップＳ６０７：Ｙｅｓ）、ステップＳ６１２に移行し、緊急度判定手段２０４によって、充給電ケーブルが正規品でない状態の緊急度（緊急度：小）を判定し（ステップＳ６１２）、緊急度に対応する点灯態様で照明装置２８を点滅させて（ステップＳ６１３）、本フローチャートによる処理を終了する。
【００４８】
一方、充給電ケーブルが正規品である場合（ステップＳ６０７：Ｎｏ）、充電または給電が開始されるまで待機して（ステップＳ６０８：Ｎｏのループ）、充電または給電が開始されると（ステップＳ６０８：Ｙｅｓ）、報知手段２０６は、通常点灯を消灯する（ステップＳ６０９）。これは、充電または給電が開始された後は、基本的に出入力口２２付近で作業する必要がなく、照明装置２８を点灯させる必要もないためである。このため、充電または給電の開始後は、照明装置２８を消灯して駆動用電池内の電力消費量を抑える。
【００４９】
なお、充電または給電中にキーレスシステムへの操作などによって電動車２０のドアが開放されたり、充給電ケーブルの取り外しや充給電の一時停止操作などがあった場合には、出入力口２２付近での作業が予測されるため、照明装置２８の点灯をおこなう。また、充電または給電中にこのような操作がおこなわれた後、次の操作が所定時間以上おこなわれない場合は、必要な場合にはユーザへの報知（クラクションやアラーム音の発生など）をおこなった上で照明装置２８を消灯する。
【００５０】
充電または給電中は、故障検出手段２０２によってセル電圧情報を取得して、セル電圧に異常があるか否かを判断する（ステップＳ６１０）。セル電圧に異常がある場合（ステップＳ６１０：Ｙｅｓ）、ステップＳ６１２に移行し、緊急度判定手段２０４によって、充給電時にセル電圧に異常がある状態の緊急度（緊急度：大）を判定し（ステップＳ６１２）、緊急度に対応する点灯態様で照明装置２８を点滅させて（ステップＳ６１３）、本フローチャートによる処理を終了する。
【００５１】
なお、充電または給電中に異常があった場合、充電中であるか給電中であるかによって、照明装置２８の点灯態様を変更してもよい。たとえば、給電中に異常があった場合には、照明装置２８を３０秒間点滅させた後、照明装置２８を消灯させる。一方で、充電中に異常があった場合は、照明装置２８を３０秒間点滅させた後、さらに３０秒間連続点灯させる。すなわち、報知手段２０６は、給電時の故障と充電時の故障とを識別し、給電時の故障については、所定時間経過後に点滅から消灯し、充電時の故障については、所定時間経過後に点滅点灯から連続点灯に切り替えるようにしてもよい。これは、充電時は電動車２０に充電ケーブルが接続された状態であり電力を得ることが可能な状態である一方で、給電時には駆動用電池内の電力が限られた状態であるので、照明装置２８をなるべく点灯させずに電力の消費を抑えるためである。
【００５２】
一方、セル電圧に異常がない場合（ステップＳ６１０：Ｎｏ）、充給電が終了するまでは（ステップＳ６１１：Ｎｏ）、ステップＳ６１０に戻り、セル電圧の監視を継続する。そして、充給電が終了すると（ステップＳ６１１：Ｙｅｓ）、本フローチャートによる処理を終了する。
【００５３】
以上説明したように、実施の形態にかかる電動車２０は、故障の緊急度判定に基づいて異なる態様で当該故障を報知する報知手段２０６を設けたので、ユーザが当該故障に対して的確に対応できる可能性を向上させることができる。また、電動車２０は、報知手段２０６を照明装置２８とし、駆動用電池への電力の出入力口２２または出入力口２２近傍に照明装置を設けたので、電動車２０の充電中または給電中に故障を報知する必要がある場合に、ユーザに対して迅速に報知を伝達することができる。
【００５４】
また、電動車２０は、故障の緊急度が大きいほど照明装置２８の単位時間当たりの点滅回数を多くするので、故障の緊急度を直感的にユーザに伝達することができる。さらに、電動車２０は、給電時の故障と充電時の故障とを識別し、給電時の故障については所定時間経過後に点滅から消灯させるので、駆動用電池内の電力消費を抑制し、故障からの復帰後の給電時に利用可能な電力を確保することができる。また、充電時の故障については、所定時間経過後に点滅点灯から連続点灯に切り替えるので、出入口周辺での作業をしやすくすることができる。
【符号の説明】
【００５５】
２０……電動車、２２……出入力口、２４……蓋、２６……結合部、２８……照明装置、３０……外部電力供給機構、３２……本体部、３４……充電ケーブル、３６……充電ガン、３８……結合部、２０２……故障検出手段、２０４……緊急度判定手段、２０６……報知手段。
【図１】
2014007861.tif 000003
【図２】
2014007861.tif 000004
【図３】
2014007861.tif 000005
【図４】
2014007861.tif 000006
【図５】
2014007861.tif 000007
【図６】
2014007861.tif 000008